(57)【要約】【課題】医療従事者による健康管理に関する業務の効率化を図ることができる。【解決手段】情報処理装置は、複数の対象者の健康に関する情報を取得する取得部と、前記健康に関する情報に応じて、前記複数の対象者のうちの１人以上の対象者を含む１以上のグループを構築するグループ化処理部と、前記１以上のグループのそれぞれについて投稿メッセージを共有するルームを生成する生成部とを備える。【選択図】図４
2019003572.tif 000002
【特許請求の範囲】
【請求項１】
複数の対象者の健康に関する情報を取得する取得部と、
前記健康に関する情報に応じて、前記複数の対象者のうちの１人以上の対象者を含む１以上のグループを構築するグループ化処理部と、
前記１以上のグループのそれぞれについて投稿メッセージを共有するルームを生成する生成部と、
を備える情報処理装置。
【請求項２】
前記健康に関する情報は、前記複数の対象者のそれぞれの生体情報に基づいて取得される、請求項１に記載の情報処理装置。
【請求項３】
前記１以上のグループのそれぞれは、１人以上の医療従事者を含む、請求項１または２に記載の情報処理装置。
【請求項４】
複数の対象者の健康に関する情報を取得する取得過程と、
前記健康に関する情報に応じて、前記複数の対象者のうちの１人以上の対象者を含む１以上のグループを構築するグループ化処理過程と、
前記１以上のグループのそれぞれについて投稿メッセージを共有するルームを生成する生成過程と、
を備える情報処理方法。
【請求項５】
請求項１から３のうちの何れか１項に記載の情報処理装置が備える各部としてコンピュータを機能させる情報処理プログラム。
【発明の詳細な説明】
【技術分野】
【０００１】
この発明は、対象者の健康に関する情報を処理する情報処理装置、情報処理方法及び情報処理プログラムに関する。
【背景技術】
【０００２】
近年の健康志向の高まりに伴い、医療従事者に対して健康管理に関するアドバイスを求める人が増えてきている。医療従事者には、高血圧や疾病の疑いなど、健康管理の対象者が抱えている健康上の課題を把握した上で、対象者に対してアドバイスを提供することが求められている。
【０００３】
また、対象者の健康上の課題を検出するための技術が提案されている。特許文献１には、心拍変動指数を精神疾患の診断や発病リスクの検出に利用する技術が開示されている。
【先行技術文献】
【特許文献】
【０００４】
【特許文献１】特開２０１３−２３３２５６号公報
【発明の概要】
【発明が解決しようとする課題】
【０００５】
医療従事者は、担当する全ての対象者に対して、対面または電子的手段（例えばチャットなど）で、健康管理に関するアドバイスを提供しなければならない。しかしながら、全ての対象者にアドバイスを提供する作業は、医療従事者にとって負荷が大きい。特許文献１には、医療従事者によるアドバイスの提供に要する負荷を軽減するための技術は開示されていない。
【０００６】
この発明は、医療従事者による健康管理に関する業務の効率化を図る情報処理装置、情報処理方法及び情報処理プログラムを提供しようとするものである。
【課題を解決するための手段】
【０００７】
この発明の第１の態様は、複数の対象者の健康に関する情報を取得する取得部と、前記健康に関する情報に応じて、前記複数の対象者のうちの１人以上の対象者を含む１以上のグループを構築するグループ化処理部と、前記１以上のグループのそれぞれについて投稿メッセージを共有するルームを生成する生成部とを備える情報処理装置である。
この発明の第１の態様によれば、医療従事者は、対象者毎ではなくグループ毎にアドバイスを提供することできるので、アドバイスを提供する負荷を減らすことができる。その結果、医療従事者は、対象者に対する健康管理に関する業務の効率化を図ることができる。また、対象者は、同じ悩みや困りごとを持つ別の対象者との学びの場または交流の場として、ルームを活用することができる。
【０００８】
この発明の第２の態様は、第１の態様の情報処理装置において、前記健康に関する情報が、前記複数の対象者のそれぞれの生体情報に基づいて取得されるようにしたものである。
【０００９】
この発明の第２の態様によれば、情報処理装置は、精度の高い対象者の健康に関する情報を取得することができる。また、対象者は、健康に関する情報を入力する負荷を省くことができる。
【００１０】
この発明の第３の態様は、第１の態様または第２の態様の情報処理装置において、１以上のグループのそれぞれが、１人以上の医療従事者を含むようにしたものである。
【００１１】
この発明の第３の態様によれば、対象者は、同じ悩みや困りごとを持つ別の対象者とだけでなく、医療従事者との学びの場または交流の場として、ルームを活用することができる。
【００１２】
この発明の第４の態様は、複数の対象者の健康に関する情報を取得する取得過程と、前記健康に関する情報に応じて、前記複数の対象者のうちの１人以上の対象者を含む１以上のグループを構築するグループ化処理過程と、前記１以上のグループのそれぞれについて投稿メッセージを共有するルームを生成する生成過程とを備える情報処理方法である。
【００１３】
この発明の第４の態様によれば、情報処理方法は、上述の第１の態様と同様の効果を得ることができる。
【００１４】
この発明の第５の態様は、第１の態様から第３の態様のうちの何れかの態様の情報処理装置が備える各部としてコンピュータを機能させる情報処理プログラムである。
【００１５】
この発明の第５の態様によれば、情報処理プログラムは、上述の第１の態様と同様の効果を得ることができる。
【発明の効果】
【００１６】
本発明によれば、医療従事者による健康管理に関する業務の効率化を図る技術を提供することができる。
【図面の簡単な説明】
【００１７】
【図１】図１は、実施形態に係るサーバの適用場面の一例を模式的に示す図である。
【図２】図２は、実施形態に係るサーバのハードウェア構成の一例を模式的に示すブロック図である。
【図３】図３は、実施形態に係るサーバのソフトウェアによって実装される構成の一例を模式的に示すブロック図である。
【図４】図４は、実施形態に係るサーバによって構築されるグループのいくつかの例を示す図である。
【図５】図５は、実施形態に係る携帯端末の表示画面の一例を模式的に示す図である。
【図６】図６は、実施形態に係るサーバの処理手順の一例を示すフローチャートである。
【発明を実施するための形態】
【００１８】
以下、図面を参照して、この発明に係る実施形態を説明する。
【００１９】
［適用例］  
図１は、実施形態に係るサーバ１の適用場面の一例を模式的に示す図である。  
サーバ１は、取得部１１Ａと、グループ化処理部１１Ｂと、生成部１１Ｃとを実装している。
【００２０】
取得部１１Ａは、複数の対象者の健康に関する情報を取得する。一例では、取得部１１Ａは、複数の対象者のそれぞれによる自己の健康に関する情報の入力に基づいて、複数の対象者のそれぞれの健康に関する情報を取得することができる。別の例では、取得部１１Ａは、複数の対象者のそれぞれの生体情報を取得する。取得部１１Ａは、複数の対象者のそれぞれの生体情報に基づいて、複数の対象者のそれぞれの健康に関する情報を取得することができる。
【００２１】
グループ化処理部１１Ｂは、健康に関する情報に応じて、複数の対象者のうちの１人以上の対象者を含む１以上のグループを構築する。さらに、グループ化処理部１１Ｂは、１以上のグループのそれぞれが１人以上の医療従事者を含むように処理することもできる。
【００２２】
生成部１１Ｃは、１以上のグループのそれぞれについて投稿メッセージを共有するルームを生成する。１つのルームは、そのルームと対応付けられているグループに属するメンバー（１人以上の対象者及び１人以上の医療従事者）からの投稿メッセージをメンバー内で共有することができる。
【００２３】
以上のとおり、本実施形態によれば、医療従事者による健康管理に関する業務の効率化を図ることできる。
【００２４】
［構成例］  
（サーバ）  
＜ハードウェア構成＞  
図２は、実施形態に係るサーバ１のハードウェア構成の一例を模式的に示すブロック図である。サーバ１は、情報処理装置の一例である。  
サーバ１は、制御部１１と、記憶部１２と、通信部１３とを備えている。
【００２５】
制御部１１は、サーバ１の各構成要素を制御する。制御部１１は、ＣＰＵ１１１（Central Processing Unit）１１１及びＲＡＭ（Random Access Memory）１１２などを備えている。ＣＰＵ１１１は、プロセッサの一例である。制御部１１は、複数のプロセッサを備えていてもよい。制御部１１は、記憶部１２に記憶されているプログラムをＲＡＭ１１２に展開する。制御部１１は、ＲＡＭ１１２に展開されたプログラムをＣＰＵ１１１により解釈及び実行して、サーバ１の各構成要素を制御する。プログラムによって制御部１１に実装される各部の構成については後述する。
【００２６】
記憶部１２は、プログラム及びデータなどを記憶する。例えば、記憶部１２は、ハードディスクドライブまたはソリッドステートドライブなどの不揮発性メモリである。記憶部１２は、サーバ１が備える各部として制御部１１またはＣＰＵ１１１を機能させるプログラムを記憶する。プログラムは、制御部１１またはＣＰＵ１１１を動作させる命令ということもできる。記憶部１２は、サーバ１を制御するために用いられるデータ及びサーバ１の各種機能を設定するためのデータなどを記憶する。
【００２７】
通信部１３は、サーバ１とは別の機器と無線で通信するためのインタフェースである。通信部１３は、無線ＬＡＮ（Local Area Network）モジュールを含む。通信部１３は、ネットワークを介して、携帯端末２と通信する。通信部１３は、ネットワークを介して携帯端末２から受信した情報を制御部１１へ出力する。例えば、ネットワークは、インターネットであるが、これに限られるものではない。
【００２８】
ここで、携帯端末２について説明する。携帯端末２は、スマートフォン及びタブレット端末などであるが、これらに限られるものではない。携帯端末２は、例えばブルートゥース（登録商標）などの近距離無線通信により、血圧計３から血圧値（収縮期血圧ＳＢＰ（Systolic Blood Pressure）及び拡張期血圧ＤＢＰ（Diastolic Blood Pressure））を取得することができる。携帯端末２は、血圧値をサーバ１へ送信する。血圧計３は、生体情報測定装置の一例である。血圧値は、生体情報の一例である。なお、携帯端末２は、血圧計３とは異なる種別の生体情報測定装置から生体情報を取得し、生体情報をサーバ１へ送信するようにしてもよい。生体情報は、心電、脈拍数、体温、骨密度、身長、体重、体脂肪率、活動量及び歩数など対象者に関する要素であればよく、これらに限られるものではない。
【００２９】
＜ソフトウェアにより実装される構成＞  
図３は、実施形態に係るサーバ１のプログラムによって実装される構成の一例を模式的に示すブロック図である。
【００３０】
制御部１１は、取得部１１Ａと、グループ化処理部１１Ｂと、生成部１１Ｃとを実装する。
取得部１１Ａについて説明する。  
取得部１１Ａは、複数の対象者の健康に関する情報を取得する。  
【００３１】
一例では、健康に関する情報は、健康に関する指標について規定される１以上のランクのうちの何れかのランクを示す情報である。例えば、指標は、血圧値またはＢＭＩ（Body Mass Index）などであるが、これらに限られるものではない。指標が血圧値である場合、例えば、高血圧（収縮期血圧１４０ｍｍＨｇ以上及び拡張期血圧９０ｍｍＨｇ以上）に相当するランクが規定されているものとする。指標がＢＭＩである場合、ＢＭＩが２５以上３０未満に相当するランク及びＢＭＩが３０以上３５未満に相当するランクが規定されているものとする。なお、指標に規定されるランク数及び各ランクに対応付けられる数値範囲は任意に設定変更することができる。
【００３２】
別の例では、健康に関する情報は、例えば、疾病の疑いの有無を示す情報である。例えば、疾病は、心筋梗塞などであるが、これに限られるものではない。
【００３３】
次に、取得部１１Ａが複数の対象者の健康に関する情報を取得する例について説明する。  
一例では、取得部１１Ａは、複数の対象者のそれぞれによる自己の健康に関する情報の入力に基づいて、複数の対象者のそれぞれの健康に関する情報を取得することができる。ここでは、取得部１１Ａが任意の１人の対象者の健康に関する情報を取得する例について説明する。取得部１１Ａは、例えば以下のように携帯端末２と連携することで、対象者の健康に関する情報を取得する。
【００３４】
対象者は、携帯端末２を用いて所定のアプリケーションを起動し、自身の健康に関する情報を入力する。例えば、対象者は、自身の血圧値が高血圧に相当するランクに属する場合、血圧値の指標について、高血圧に相当するランクを入力する。同様に、対象者は、ＢＭＩの指標について規定される１以上のランクのうち自身のＢＭＩの属するランクがある場合、そのランクを入力する。同様に、対象者は、自身の疾病の疑いの有無を入力する。携帯端末２は、対象者による入力に基づく健康に関する情報及び対象者の識別情報をサーバ１へ送信する。
【００３５】
取得部１１Ａは、通信部１３を介して、対象者の健康に関する情報及び対象者の識別情報を携帯端末２から取得する。取得部１１Ａは、対象者の健康に関する情報及び対象者の識別情報を記憶部１２に記憶させる。記憶部１２は、対象者の健康に関する情報と、この対象者の識別情報とを関連付けて記憶する。
【００３６】
取得部１１Ａは、同様に、複数の対象者の健康に関する情報を取得することができる。これにより、記憶部１２は、健康に関する情報と識別情報とを対象者毎に関連付けて記憶することができる。
【００３７】
別の例では、取得部１１Ａは、複数の対象者のそれぞれによる自己の健康に関する情報の入力に替えて、携帯端末２で収集される複数の対象者のそれぞれの生体情報に基づいて、複数の対象者のそれぞれの健康に関する情報を取得することができる。ここでは、取得部１１Ａが任意の１人の対象者の健康に関する情報を取得する例について説明する。取得部１１Ａは、例えば以下のように携帯端末２と連携することで、対象者の健康に関する情報を取得する。
【００３８】
携帯端末２は、対象者の生体情報を収集する。一例では、携帯端末２は、生体情報測定装置と通信することで、生体情報測定装置で測定される対象者の生体情報を収集することができる。例えば、携帯端末２は、血圧計３と通信することで、血圧計３で測定される対象者の血圧値を収集することができる。例えば、携帯端末２は、体重計と通信することで、体重計で測定される対象者の体重を収集することができる。別の例では、携帯端末２は、対象者による生体情報の入力に基づいて、対象者の生体情報を収集することができる。例えば、対象者は、携帯端末２を用いて所定のアプリケーションを起動し、自身の血圧値または体重などを入力する。これにより、携帯端末２は、対象者の血圧値または体重などを収集することができる。携帯端末２は、対象者の生体情報及び生体情報に関連する対象者の識別情報をサーバ１へ送信する。
【００３９】
取得部１１Ａは、通信部１３を介して、携帯端末２で収集される対象者の生体情報及び対象者の識別情報を携帯端末２から取得する。取得部１１Ａは、対象者の生体情報及び対象者の識別情報を記憶部１２に記憶させる。記憶部１２は、対象者の生体情報と、この対象者の識別情報とを関連付けて記憶する。取得部１１Ａは、同様に、複数の対象者の生体情報を取得することができる。これにより、記憶部１２は、生体情報と識別情報とを対象者毎に関連付けて記憶することができる。
【００４０】
取得部１１Ａは、上述のように取得した生体情報に基づいて、対象者の健康に関する情報を取得する。  
取得部１１Ａは、例えば以下のように、生体情報に基づいて、健康に関する情報として、健康に関する指標について規定される１以上のランクのうちの何れかのランクを示す情報を取得する。
【００４１】
一例では、取得部１１Ａは、生体情報として血圧値を参照する。この例では、取得部１１Ａは、対象者の血圧値が高血圧に相当するランクに属するか否かを判断する。対象者の血圧値が高血圧に相当するランクに属する場合、取得部１１Ａは、対象者の健康に関する情報として、高血圧に相当するランクを示す情報を取得する。
【００４２】
別の例では、取得部１１Ａは、生体情報として対象者の身長及び体重を参照する。この例では、取得部１１Ａは、対象者の身長及び体重に基づいて、対象者のＢＭＩを算出する。取得部１１Ａは、ＢＭＩの指標について規定される１以上のランクのうち対象者のＢＭＩの属するランクがあるか否かを判断する。対象者のＢＭＩの属するランクがある場合、取得部１１Ａは、対象者の健康に関する情報として、対象者のＢＭＩの属するランクを示す情報を取得する。
【００４３】
取得部１１Ａは、例えば以下のように、生体情報に基づいて、健康に関する情報として、疾病の疑いの有無を示す情報を取得する。
【００４４】
例えば、取得部１１Ａは、生体情報と疾病の疑いとの関係を規定するガイドラインを参照するようにしてもよい。例えば、このガイドラインでは、生体情報となる要素Ｘ１が基準値Ｙ１を満たさない場合、疾病Ｚ１の疑いがあると規定することができる。また、生体情報となる要素Ｘ２が基準値Ｙ２を満たさず、かつ、要素Ｘ３が基準値Ｙ３を満たさない場合、疾病Ｚ２の疑いがあると規定することができる。このように、取得部１１Ａは、生体情報に基づいて、疾病の疑いの有無に関する情報を取得することができる。取得部１１Ａは、対象者の健康に関する情報を記憶部１２に記憶させる。記憶部１２は、対象者の健康に関する情報と、この対象者の識別情報とを関連付けて記憶する。取得部１１Ａは、同様に、複数の対象者の健康に関する情報を取得することができる。これにより、記憶部１２は、健康に関する情報と識別情報とを対象者毎に関連付けて記憶することができる。
【００４５】
グループ化処理部１１Ｂについて説明する。  
グループ化処理部１１Ｂは、例えば以下のように、健康に関する情報に応じて、複数の対象者のうちの１人以上の対象者を含む１以上のグループを構築する。
【００４６】
グループ化処理部１１Ｂは、記憶部１２に記憶されている対象者毎に関連付けられている健康に関する情報を参照する。グループ化処理部１１Ｂは、記憶部１２に記憶されている全ての対象者のうち、第１の健康に関する情報に関連付けられている全ての対象者を抽出する。グループ化処理部１１Ｂは、第１の健康に関する情報に関連付けられている全ての対象者を含むグループを構築する。第１の健康に関する情報に関連付けられている全ての対象者は、第１の健康に関する情報に対応するグループに属する。同様に、グループ化処理部１１Ｂは、記憶部１２に記憶されている全ての対象者のうち、第２の健康に関する情報に関連付けられている全ての対象者を抽出する。グループ化処理部１１Ｂは、第２の健康に関する情報に関連付けられている全ての対象者を含むグループを構築する。第２の健康に関する情報に関連付けられている全ての対象者は、第２の健康に関する情報に対応するグループに属する。  
グループ化処理部１１Ｂが構築するグループのいくつかの例については後述する。
【００４７】
さらに、グループ化処理部１１Ｂは、上述のように構築した１以上のグループのそれぞれが１人以上の医療従事者を含むように処理することもできる。医療従事者は、健康に関する知識を有する者である。例えば、医療従事者は、保健師または管理栄養士などであるが、これらに限られるものではない。
【００４８】
グループ化処理部１１Ｂは、１以上のグループに関する情報を記憶部１２に記憶させる。グループ化処理部１１Ｂは、１以上のグループに関する情報を生成部１１Ｃへ出力する。
【００４９】
生成部１１Ｃについて説明する。  
生成部１１Ｃは、例えば以下のように、１以上のグループのそれぞれについて投稿メッセージを共有するルームを生成する。
【００５０】
生成部１１Ｃは、１以上のグループに関する情報をグループ化処理部１１Ｂから取得する。生成部１１Ｃは、１以上のグループに関する情報を参照して、１以上のグループのそれぞれについて投稿メッセージを共有するルームを生成する。１つのルームは、そのルームと対応付けられているグループに属するメンバー（１人以上の対象者及び１人以上の医療従事者）からの投稿メッセージをメンバー内で共有することができる。生成部１１Ｃは、１以上のグループのそれぞれについてのルームを記憶部１２に記憶させる。  
生成部１１Ｃが生成したルームの携帯端末２における表示画面の例については後述する。
【００５１】
（グループ構成例）  
図４は、実施形態に係るサーバ１によって構築されるグループのいくつかの例を示す図である。  
例えば、グループ化処理部１１Ｂは、健康に関する情報に応じて、複数の対象者のうちの１人以上の対象者を含む第１〜第４グループを構築する。
【００５２】
グループ化処理部１１Ｂは、高血圧に相当するランクを示す情報に関連付けられている１人以上の対象者及び管理栄養士を含む第１グループを構築する。グループ化処理部１１Ｂは、ＢＭＩが２５以上３０未満に相当するランクを示す情報に関連付けられている１人以上の対象者及び管理栄養士を含む第２グループを構築する。グループ化処理部１１Ｂは、ＢＭＩが３０以上３５未満に相当するランクを示す情報に関連付けられている１人以上の対象者及び管理栄養士を含む第３グループを構築する。グループ化処理部１１Ｂは、心筋梗塞の疑いを示す情報に関連付けられている１人以上の対象者及び管理栄養士を含む第４グループを構築する。
【００５３】
第１グループは、第２グループ、第３グループ及び第４のグループとは異なる健康に関する情報に対応するグループである。そのため、第１グループに属するメンバーは、第２グループまたは第３のグループに属するメンバーと重複していてもよい。同様に、第１グループに属するメンバーは、第４グループに属するメンバーと重複していてもよい。
【００５４】
第２グループ及び第３グループは、いずれもＢＭＩを指標とするグループである。そのため、第３グループに属するメンバーは、管理栄養士を除いて、第２グループに属するメンバーと重複することはない。
【００５５】
（ルームの表示例）  
図５は、実施形態に係る携帯端末２の表示画面の一例を模式的に示す図である。  
ここでは、携帯端末２の所有者を対象者Ａとする。携帯端末２は、対象者Ａの属する１以上のグループのルームをサーバ１からダウンロードすることができる。ルームは、１以上のグループのそれぞれについて投稿メッセージを共有するためのものである。携帯端末２は、対象者Ａの属する１以上のグループのうちから選択された１つのグループのルームを表示することができる。図５に示すように、携帯端末２は、対象者Ａによる第１グループのルームの表示指示に基づいて、図５に示すように第１グループのルームを表示することができる。
【００５６】
携帯端末２は、第１グループのルームに対する対象者Ａによる投稿メッセージの入力に基づいて、投稿メッセージをサーバ１へ送信する。これと共に、携帯端末２は、携帯端末２にダウンロードされている第１グループのルームに投稿メッセージを表示する。携帯端末２は、第１グループに属する対象者Ａ以外のメンバーによる投稿メッセージをサーバ１から受信し、携帯端末２にダウンロードされている第１グループのルームに表示する。
【００５７】
このように、第１グループのルームでは、第１グループに属するメンバー（１人以上の対象者及び１人以上の医療従事者）のみが投稿メッセージをアップロードすることができる。第１グループのルームにアップロードされた投稿メッセージは、第１グループに属するメンバー以外の人が見ることはできない。
【００５８】
［動作例］  
（サーバの動作）  
図６は、実施形態に係るサーバ１の処理手順の一例を示すフローチャートである。なお、以下で説明する処理手順は一例に過ぎず、各処理は可能な限り変更されてよい。また、以下で説明する処理手順は、適宜、ステップの省略、置換及び追加をすることができる。
【００５９】
取得部１１Ａは、複数の対象者の健康に関する情報を取得する（ステップＳ１０１）。ステップＳ１０１では、取得部１１Ａは、例示したように、複数の対象者のそれぞれについて、健康に関する情報を取得することができる。
【００６０】
グループ化処理部１１Ｂは、健康に関する情報に応じて、複数の対象者のうちの１人以上の対象者を含む１以上のグループを構築する（ステップＳ１０２）。ステップＳ１０２では、グループ化処理部１１Ｂは、例示したように、１以上のグループを構築することができる。ステップＳ１０２では、グループ化処理部１１Ｂは、１以上のグループのそれぞれが１人以上の医療従事者を含むように処理することもできる。
【００６１】
生成部１１Ｃは、１以上のグループのそれぞれについて投稿メッセージを共有するルームを生成する（ステップＳ１０３）。ステップＳ１０３では、生成部１１Ｃは、例示したように、１以上のルームを生成することができる。
【００６２】
なお、サーバ１は、ルームを生成した後であっても、そのルームと対応付けられているグループに新たな１以上の対象者を追加することもできる。
【００６３】
［作用・効果］  
以上詳述したように、この発明の実施形態では、サーバ１は、健康に関する情報に応じて、複数の対象者のうちの１人以上の対象者を含む１以上のグループを構築し、１以上のグループのそれぞれについて投稿メッセージを共有するルームを生成することができる。これにより、医療従事者は、対象者毎ではなくグループ毎にアドバイスを提供することできるので、アドバイスを提供する負荷を減らすことができる。その結果、医療従事者は、対象者に対する健康管理に関する業務の効率化を図ることができる。また、対象者は、同じ悩みや困りごとを持つ別の対象者との学びの場または交流の場として、ルームを活用することができる。
【００６４】
この発明の実施形態では、サーバ１は、複数の対象者のそれぞれの健康に関する情報を、複数の対象者のそれぞれの生体情報に基づいて取得することができる。これにより、サーバ１は、精度の高い対象者の健康に関する情報を取得することができる。また、対象者は、健康に関する情報を入力する負荷を省くことができる。
【００６５】
この発明の実施形態では、サーバ１は、１以上のグループのそれぞれが、１人以上の医療従事者を含むように処理することができる。これにより、対象者は、同じ悩みや困りごとを持つ別の対象者とだけでなく、医療従事者との学びの場または交流の場として、ルームを活用することができる。
【００６６】
［変形例］  
なお、上記実施形態は、例えば以下のように変更することができる。なお、以下では、上記実施形態と同様の構成要素に関しては同様の符号を用い、上記実施形態と同様の点については、適宜説明を省略している。以下の変形例は適宜組み合わせ可能である。  
要するにこの発明は、上記の実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素からいくつかの構成要素を削除してもよい。さらに、異なる実施形態に亘る構成要素を適宜組み合わせてもよい。
【００６７】
上記の実施形態の処理の少なくとも一部は、汎用のコンピュータを基本ハードウェアとして用いることでも実現可能である。上記処理を実現するプログラムは、コンピュータで読み取り可能な記録媒体に格納して提供されてもよい。プログラムは、インストール可能な形式のファイルまたは実行可能な形式のファイルとして記録媒体に記憶される。記録媒体は、プログラムを記憶でき、かつ、コンピュータが読み取り可能であればよい。記録媒体は、磁気ディスク、光ディスク（ＣＤ−ＲＯＭ（Compact Disc-Read Only Memory）、ＣＤ−Ｒ（Compact Disc-Recordable）、ＤＶＤ（Digital Versatile Disc）など）、光磁気ディスク（ＭＯ（Magneto Optical）など）及び半導体メモリなどである。また、上記処理を実現するプログラムは、インターネットなどのネットワークに接続されたコンピュータ（サーバ）上に格納され、ネットワーク経由でコンピュータ（クライアント）にダウンロードされてもよい。
【符号の説明】
【００６８】
１……サーバ、２…携帯端末、３…血圧計、１１…制御部、１１Ａ…取得部、１１Ｂ…グループ化処理部、１１Ｃ…生成部、１２…記憶部、１３…通信部、１１１…ＣＰＵ、１１２…ＲＡＭ。
【図１】
2019003572.tif 000003
【図２】
2019003572.tif 000004
【図３】
2019003572.tif 000005
【図４】
2019003572.tif 000006
【図５】
2019003572.tif 000007
【図６】
2019003572.tif 000008